【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
導電性支持体と、該導電性支持体上に形成された中間層と、該中間層上に形成された感光層とを有する電子写真感光体において、
該感光層が、ガリウムフタロシアニン化合物を含有し、
該中間層が、下記式（１）で示されるアゾ化合物と、下記式（５）で示される繰り返し単位を含むポリアミド樹脂とを含有する
ことを特徴とする電子写真感光体。
式（１）
【化１】
2007163578.tif 000001
（式（１）中、Ｒ１およびＲ２は、それぞれ独立に、水素原子、置換基を有しても良いアリール基または置換基を有しても良いカルバモイル基を示す。ただし、Ｒ１およびＲ２が同時に水素原子であることはない。Ｘは、ＯまたはＳを示す。Ｙは、ベンゼン環と縮合して、置換基を有していても良い芳香族炭化水素環または芳香族複素環を形成するのに必要な残基を示す。Ａｒは、下記式（２）、（３）または（４）で示される基を示す。）
式（２）
【化２】
2007163578.tif 000002
式（３）
【化３】
2007163578.tif 000003
式（４）
【化４】
2007163578.tif 000004
（式（２）中、Ｒ３、Ｒ４、Ｒ５、Ｒ６およびＲ７は、それぞれ独立に、水素原子、ハロゲン原子、置換基を有しても良いアルキル基、置換基を有しても良いアルコキシ基、置換基を有しても良いアラルキル基または置換基を有しても良いアリール基を示す。Ａは、Ｏ、ＳまたはＮ−Ｒ８（ただし、Ｒ８は、水素原子、置換基を有していても良いアルキル基、置換基を有していても良いアラルキル基または置換基を有していても良いアリール基を示す。）を示す。）
式（５）
【化５】
2007163578.tif 000005
（式（５）中、Ｒ９は、置換基を有しても良い２価のアルキレン基を示す。Ｒ１０は、水素原子、置換基を有しても良いアルキル基を示す。）
【請求項２】
前記ガリウムフタロシアニン化合物が、ＣｕＫα特性Ｘ線回折における回折角２θの７．４°±０．３°および２８．２°±０．３°の位置に強いピークを有するヒドロキシガリウムフタロシアニン結晶である請求項１に記載の電子写真感光体。
【請求項３】
前記中間層に含有される前記式（１）で示されるアゾ化合物の質量の総和と前記式（５）で示される繰り返し単位を含むポリアミド樹脂の質量の総和との質量比が２：１〜１：１００である請求項１または２に記載の電子写真感光体。
【請求項４】
前記質量比が１：５〜１：１００である請求項３に記載の電子写真感光体。
【請求項５】
前記式（１）で示されるアゾ化合物が下記式（６）で示されるアゾ化合物である請求項１〜４のいずれかに記載の電子写真感光体。
式（６）
【化６】
2007163578.tif 000006
（式（６）中、Ａｒは、下記式（７）、（８）または（９）で示される基を示す。Ｒ１１は、下記式（１０）または（１１）で示される基を示す。）
式（７）
【化７】
2007163578.tif 000007
式（８）
【化８】
2007163578.tif 000008
式（９）
【化９】
2007163578.tif 000009
式（１０）
【化１０】
2007163578.tif 000010
式（１１）
【化１１】
2007163578.tif 000011
【請求項６】
前記式（６）で示されるアゾ化合物が下記式（１２）、（１３）または（１４）で示されるアゾ化合物である請求項５に記載の電子写真感光体。
式（１２）
【化１２】
2007163578.tif 000012
式（１３）
【化１３】
2007163578.tif 000013
式（１４）
【化１４】
2007163578.tif 000014
【請求項７】
前記式（５）で示される繰り返し単位が下記式（１５）で示される繰り返し単位である請求項１〜６のいずれかに記載の電子写真感光体。
式（１５）
【化１５】
2007163578.tif 000015
【請求項８】
請求項１〜７のいずれかに記載の電子写真感光体と、帯電手段、現像手段およびクリーニング手段からなる群より選ばれる少なくとも１つの手段とを一体に支持し、電子写真装置本体に着脱自在であることを特徴とするプロセスカートリッジ。
【請求項９】
請求項１〜７のいずれかに記載の電子写真感光体、帯電手段、像露光手段、現像手段および転写手段を有することを特徴とする電子写真装置。
【手続補正２】
【補正対象書類名】明細書
【補正対象項目名】０００１
【補正方法】変更
【補正の内容】
【０００１】
本発明は、電子写真感光体、プロセスカートリッジおよび電子写真装置に関する。詳しくは、感光層がガリウムフタロシアニン化合物を含有し、中間層が特定のアゾ化合物と特定のポリアミド樹脂とを含有する電子写真感光体、このような電子写真感光体を有するプロセスカートリッジおよび電子写真装置に関する。
【手続補正３】
【補正対象書類名】明細書
【補正対象項目名】００１３
【補正方法】変更
【補正の内容】
【００１３】
（１）導電性支持体と、該導電性支持体上に形成された中間層と、該中間層上に形成された感光層とを有する電子写真感光体において、
該感光層が、ガリウムフタロシアニン化合物を含有し、
該中間層が、下記式（１）で示されるアゾ化合物と、下記式（５）で示される繰り返し単位を含むポリアミド樹脂とを含有する
ことを特徴とする電子写真感光体。
式（１）
【手続補正４】
【補正対象書類名】明細書
【補正対象項目名】００１５
【補正方法】変更
【補正の内容】
【００１５】
（式（１）中、Ｒ１およびＲ２は、それぞれ独立に、水素原子、置換基を有しても良いアリール基または置換基を有しても良いカルバモイル基を示す。ただし、Ｒ１およびＲ２が同時に水素原子であることはない。Ｘは、ＯまたはＳを示す。Ｙは、ベンゼン環と縮合して、置換基を有していても良い芳香族炭化水素環または芳香族複素環を形成するのに必要な残基を示す。Ａｒは、下記式（２）、（３）または（４）で示される基を示す。）
式（２）
【手続補正５】
【補正対象書類名】明細書
【補正対象項目名】００２１
【補正方法】変更
【補正の内容】
【００２１】
（式（２）中、Ｒ３、Ｒ４、Ｒ５、Ｒ６およびＲ７は、それぞれ独立に、水素原子、ハロゲン原子、置換基を有しても良いアルキル基、置換基を有しても良いアルコキシ基、置換基を有しても良いアラルキル基または置換基を有しても良いアリール基を示す。Ａは、Ｏ、ＳまたはＮ−Ｒ８（ただし、Ｒ８は、水素原子、置換基を有していても良いアルキル基、置換基を有していても良いアラルキル基または置換基を有していても良いアリール基を示す。）を示す。）
式（５）
【手続補正６】
【補正対象書類名】明細書
【補正対象項目名】００２３
【補正方法】変更
【補正の内容】
【００２３】
（式（５）中、Ｒ９は、置換基を有しても良い２価のアルキレン基を示す。Ｒ１０は、水素原子、置換基を有しても良いアルキル基を示す。）
【手続補正７】
【補正対象書類名】明細書
【補正対象項目名】００２４
【補正方法】変更
【補正の内容】
【００２４】
（２）前記ガリウムフタロシアニン化合物が、ＣｕＫα特性Ｘ線回折における回折角２θの７．４°±０．３°および２８．２°±０．３°の位置に強いピークを有するヒドロキシガリウムフタロシアニン結晶である（１）に記載の電子写真感光体。
【手続補正８】
【補正対象書類名】明細書
【補正対象項目名】００２５
【補正方法】変更
【補正の内容】
【００２５】
（３）前記中間層に含有される前記式（１）で示されるアゾ化合物の質量の総和と前記式（５）で示される繰り返し単位を含むポリアミド樹脂の質量の総和との質量比が２：１〜１：１００である（１）または（２）に記載の電子写真感光体。
【手続補正９】
【補正対象書類名】明細書
【補正対象項目名】００２６
【補正方法】変更
【補正の内容】
【００２６】
（４）前記質量比が１：５〜１：１００である（３）に記載の電子写真感光体。
【手続補正１０】
【補正対象書類名】明細書
【補正対象項目名】００２７
【補正方法】変更
【補正の内容】
【００２７】
（５）前記式（１）で示されるアゾ化合物が下記式（６）で示されるアゾ化合物である（１）〜（４）のいずれかに記載の電子写真感光体。
式（６）
【手続補正１１】
【補正対象書類名】明細書
【補正対象項目名】００２９
【補正方法】変更
【補正の内容】
【００２９】
（式（６）中、Ａｒは、下記式（７）、（８）または（９）で示される基を示す。Ｒ１１は、下記式（１０）または（１１）で示される基を示す。）
式（７）
【手続補正１２】
【補正対象書類名】明細書
【補正対象項目名】００３５
【補正方法】変更
【補正の内容】
【００３５】
式（１０）
【手続補正１３】
【補正対象書類名】明細書
【補正対象項目名】００３９
【補正方法】変更
【補正の内容】
【００３９】
（６）前記式（６）で示されるアゾ化合物が下記式（１２）、（１３）または（１４）で示されるアゾ化合物である（５）に記載の電子写真感光体。
式（１２）
【手続補正１４】
【補正対象書類名】明細書
【補正対象項目名】００４５
【補正方法】変更
【補正の内容】
【００４５】
（７）前記式（５）で示される繰り返し単位が下記式（１５）で示される繰り返し単位である（１）〜（６）のいずれかに記載の電子写真感光体。
式（１５）
【手続補正１５】
【補正対象書類名】明細書
【補正対象項目名】００４７
【補正方法】変更
【補正の内容】
【００４７】
（８）（１）〜（７）のいずれかに記載の電子写真感光体と、帯電手段、現像手段およびクリーニング手段からなる群より選ばれる少なくとも１つの手段とを一体に支持し、電子写真装置本体に着脱自在であることを特徴とするプロセスカートリッジ。
【手続補正１６】
【補正対象書類名】明細書
【補正対象項目名】００５４
【補正方法】変更
【補正の内容】
【００５４】
支持体上または干渉縞防止層の上には、支持体との密着性確保、感光層の電気的破壊の保護、感光層のキャリア注入性の改良等のために中間層が必要である。中間層は、下記式（１）で示されるアゾ化合物と、下記式（５）で示される繰り返し単位を含むポリアミド樹脂とを含有し、これらを溶剤に溶解または分散して塗布液を作製し、導電性支持体または干渉縞防止層上に塗工することにより形成される。なお、前記式（１）で示されるアゾ化合物と、下記式（５）で示される繰り返し単位を含むポリアミド樹脂とを含有する中間層は電荷発生機能を有さない。
式（１）
【手続補正１７】
【補正対象書類名】明細書
【補正対象項目名】００５６
【補正方法】変更
【補正の内容】
【００５６】
（式（１）中、Ｒ１およびＲ２は、それぞれ独立に、水素原子、置換基を有しても良いアリール基または置換基を有しても良いカルバモイル基を示す。ただし、Ｒ１およびＲ２が同時に水素原子であることはない。Ｘは、ＯまたはＳを示す。Ｙは、ベンゼン環と縮合して、置換基を有していても良い芳香族炭化水素環または芳香族複素環を形成するのに必要な残基を示す。Ａｒは、下記式（２）、（３）または（４）で示される基を示す。）
式（２）
【手続補正１８】
【補正対象書類名】明細書
【補正対象項目名】００６２
【補正方法】変更
【補正の内容】
【００６２】
（式（２）中、Ｒ３、Ｒ４、Ｒ５、Ｒ６およびＲ７は、それぞれ独立に、水素原子、ハロゲン原子、置換基を有しても良いアルキル基、置換基を有しても良いアルコキシ基、置換基を有しても良いアラルキル基または置換基を有しても良いアリール基を示す。Ａは、Ｏ、ＳまたはＮ−Ｒ８（ただし、Ｒ８は、水素原子、置換基を有していても良いアルキル基、置換基を有していても良いアラルキル基または置換基を有していても良いアリール基を示す。）を示す。）
式（５）
【手続補正１９】
【補正対象書類名】明細書
【補正対象項目名】００６４
【補正方法】変更
【補正の内容】
【００６４】
（式（５）中、Ｒ９は、置換基を有しても良い２価のアルキレン基を示す。Ｒ１０は、水素原子、置換基を有しても良いアルキル基を示す。）
【手続補正２０】
【補正対象書類名】明細書
【補正対象項目名】００８８
【補正方法】変更
【補正の内容】
【００８８】
前記中間層において、前記式（１）で示されるアゾ化合物の質量の総和と前記式（５）で示される繰り返し単位を含むポリアミド樹脂の質量の総和との質量比が２：１〜１：１００であり、より好ましくは１：５〜１：１００である。１：１００より小さい場合には前記式（１）で示されるアゾ化合物の含有量が低くなり、その効果が低下する。また、２：１より大きい場合にもその効果が低下する。また、前記式（１）で示されるアゾ化合物は、１種または２種以上のものを混合して用いることができる。
【手続補正２１】
【補正対象書類名】明細書
【補正対象項目名】００９６
【補正方法】変更
【補正の内容】
【００９６】
次に、上記本発明の電子写真感光体を好適に使用できる本発明の電子写真装置について説明する。本発明の電子写真装置は、本発明の電子写真感光体、電子写真感光体表面を帯電する帯電手段、帯電された電子写真感光体上に像露光により静電潜像を形成する像露光手段、電子写真感光体上の静電潜像をトナーで現像してトナー像を形成する現像手段および前記電子写真感光体上のトナー像を転写材に転写する転写手段を有する。